(57)【要約】      （修正有）【課題】強力な認識（注意喚起）を促すことにより交通安全に係わる効果を飛躍的に高めるとともに、容易，短時間かつ安価に製作可能にすることにより、神社やお寺等にとっても最適なお守りとして提供する。【解決手段】少なくとも自動車の車室内に掲示可能に構成した交通安全守であって、全体を表面部２ｆと裏面部によりケース状に形成するとともに、表面部２ｆの外面に交通安全のお守りであることを示すお守り表示部Ｅを設け、かつ表面部２ｆに、内部に収容した写真が外から見える開口窓部２ｏを設けてなる専用のお守り袋２と、このお守り袋２の内部に収容可能な特定の写真Ｐと、お守り袋２に収容するお守り本体と、を具備する。【選択図】図１
2015043891.tif 000002
【特許請求の範囲】
【請求項１】
少なくとも自動車の車室内に掲示可能に構成した交通安全守であって、全体を表面部と裏面部によりケース状に形成するとともに、前記表面部の外面に交通安全のお守りであることを示すお守り表示部を設け、かつ前記表面部に、内部に収容した写真が外から見える開口窓部を設けてなる専用のお守り袋と、このお守り袋の内部に収容可能な特定の写真と、前記お守り袋に収容するお守り本体と、を具備してなることを特徴とする交通安全守。
【請求項２】
前記開口窓部は、開口及びこの開口を覆う透明な保護シートを備えることを特徴とする請求項１記載の交通安全守。
【請求項３】
前記お守り袋の上端部には、吊り下げるための吊下具を設けることを特徴とする請求項１又は２記載の交通安全守。
【請求項４】
少なくとも自動車の車室内に掲示可能に構成した交通安全守を製造するための交通安全守の製造方法であって、カメラ機能部により撮影した画像データをプリンタによりプリントアウトして特定の写真を製作する写真製作ステップと、全体を表面部と裏面部によりケース状に形成するとともに、前記表面部の外面に交通安全のお守りであることを示すお守り表示部を設け、かつ前記表面部に、内部に収容した写真が外から見える開口窓部を設けてなる専用のお守り袋を製作して用意するお守り袋準備ステップと、このお守り袋に、お守り本体と前記写真を収容する写真収容ステップと、少なくとも前記お守り本体に対して正規のお守りとして機能させる機能化処理を行うお守り機能化処理ステップを備えることを特徴とする交通安全守の製造方法。
【請求項５】
少なくとも、前記写真製作ステップ，前記写真収容ステップ及び前記お守り機能処理ステップは、同じ敷地内において順次行うことを特徴とする請求項４記載の交通安全守の製造方法。
【請求項６】
前記お守り機能化処理ステップには、少なくとも、お祓い処理又は魂入れ処理を含むことを特徴とする請求項４又は５記載の交通安全守の製造方法。
【発明の詳細な説明】
【技術分野】
【０００１】
本発明は、少なくとも自動車の車室内に掲示可能に構成した交通安全守及びその製造方法に関する。
【背景技術】
【０００２】
一般に、神社やお寺等においては、「交通安全」をはじめ、「合格祈願」，「家内安全」，「無病息災」等の各種お守りが販売されている。通常、この種のお守りは、お守り袋にお札等のお守り本体を収容し、上端に吊り下げ用の紐（飾り紐等）を付けることにより、携帯可能に構成されている。一方、目的に応じて形態を工夫したお守りも知られており、特に、特定の人に対するお守りとなるように、対象となる人の写真を組合わせたお守りも提案されている。
【０００３】
従来、この種のお守りとしては、特許文献１で開示される写真セットにおけるお守り及び特許文献２で開示される祈願システムにより作成されるお守りが知られている。同文献１で開示される写真セットは、写真撮影依頼者の願望に合致した写真セットの作製を目的としたものであり、具体的には、表紙と裏紙から成る袋を有し、上端部に折線を設けて表紙と裏紙を重ね、又は開放できるようにするとともに、表紙と裏紙とは平面を同一形に形成し、かつ、絵馬状又はお守り袋状とし、さらに、裏紙の内面の下半部位に写真の収容部を設けて写真を収容できるようにすると共に該収容部の口部を斜設し、他方、表紙及び写真の裏面には依頼者の願望に合致する祈願文字を表記し、更に、該写真の裏面に粘着剤及び該粘着剤を保護するための離型紙を装着するようにしたものである。
【０００４】
また、特許文献２で開示される祈願システムは、合格祈願が出来るシステムであって、詳しくは遠方の地にある神社や仏閣でも容易に参拝できて祈願したり、あるいは所望の有名校など必願成就の写真が行えたりするなどが、工夫された合格祈願システムの提供を目的としたものであり、具体的には、ホストサーバから依頼者が要望する神社や大学等の建物ａｎｄ／ｏｒ名所をネット検索し、これを静止画像として取り出す行為と、この取り出された静止背景画像に、上記電子カメラで撮えた依頼者の画像を重ね合わせてかつ、依頼ｓｙ画像に重ね合わされた背景画像を電子画像処理の編集プログラムを用いて取り除く行為と、撮影者の自由な選択により、それぞれの画像の大きさ位置関係の修正を電子画像処理の編集プログラムを用いて合成写真を造形するようにしたものである。
【先行技術文献】
【特許文献】
【０００５】
【特許文献１】実用新案登録第３０１０７６４号公報
【特許文献２】特開２００７−３１６７８４号公報
【発明の概要】
【発明が解決しようとする課題】
【０００６】
しかし、上述した従来のお守り、特に、交通安全守に関しては、次のような問題点があった。
【０００７】
第一に、お守りの場合、必ずしもプラス面のみを有するものではなく、同時に、マイナス面も少なからず存在する。特に、交通安全守においては、運転時の安心感を高め、落ち着いた運転を促すことを期待できる反面、却って、安心感を無用に高め、本来の注意意識等を低下させてしまう虞れもある。したがって、上述した写真を組合わせた従来のお守りをみた場合、交通安全守に特化したお守りではないため、交通安全に対するプラス面を強調し、かつマイナス面を抑制する点は何ら考慮されておらず、当該プラス面を強調し、かつマイナス面を抑制する観点から十分に機能するとは言い難い。
【０００８】
第二に、神社やお寺等で入手できるお守りは、いわば画一的に統一されたものであり、上述した交通安全守を例にとっても全て同じものである。したがって、全員が同じものを携帯していることを考慮すれば、お守りとしての魅力、いわば、自分を守ってくれるお守りという観点からの魅力は半減してしまう。一方、上述した写真を組合わせた従来のお守りは、これらを改善する効果はあるものの、基本的に、神社やお寺等で販売される通常のお守りを踏襲するものではないため、神社やお寺等のお守りとしては馴染みにくい。しかも、神社やお寺等では製作しにくく、製作に無用な時間と費用がかかる虞れがあるなど、神社やお寺等にとって必ずしも望ましいものではない。
【０００９】
本発明は、このような背景技術に存在する課題を解決した交通安全守及びその製造方法の提供を目的とするものである。
【課題を解決するための手段】
【００１０】
本発明に係る交通安全守１は、上述した課題を解決するため、少なくとも自動車の車室Ｃｉ内に掲示可能に構成した交通安全守であって、全体を表面部２ｆと裏面部２ｒによりケース状に形成するとともに、表面部２ｆの外面に交通安全のお守りであることを示すお守り表示部Ｅを設け、かつ表面部２ｆに、内部に収容した写真が外から見える開口窓部２ｏを設けてなる専用のお守り袋２と、このお守り袋２の内部に収容可能な特定の写真Ｐと、お守り袋２に収容するお守り本体３と、を具備してなることを特徴とする。
【００１１】
この場合、発明の好適な態様により、開口窓部２ｏには、開口２ｏｓ及びこの開口２ｏｓを覆う透明な保護シート４を設けることができる。また、お守り袋２の上端部には、吊り下げるための吊下具５を設けることができる。
【００１２】
一方、本発明に係る交通安全守の製造方法は、上述した課題を解決するため、少なくとも自動車の車室Ｃｉ内に掲示可能に構成した交通安全守１を製造するに際し、カメラ機能部１１ｃにより撮影した画像データＤｖをプリンタ２１によりプリントアウトして特定の写真Ｐを製作する写真製作ステップ（Ｓ１〜Ｓ５）と、全体を表面部２ｆと裏面部２ｒによりケース状に形成するとともに、表面部２ｆの外面に交通安全のお守りであることを示すお守り表示部Ｅを設け、かつ表面部２ｆに、内部に収容した写真Ｐが外から見える開口窓部２ｏを設けてなる専用のお守り袋２を製作して用意するお守り袋準備ステップ（Ｓ６）と、このお守り袋２に、お守り本体３と写真Ｐを収容する写真収容ステップ（Ｓ７）と、少なくともお守り本体２に対して正規のお守りとして機能させる機能化処理を行うお守り機能化処理ステップ（Ｓ９）を備えることを特徴とする。
【００１３】
この場合、発明の好適な態様により、少なくとも、写真製作ステップ（Ｓ１〜Ｓ５），写真収容ステップ（Ｓ７）及びお守り機能化処理ステップ（Ｓ９）は、同じ敷地３１内で順次行うことができる。また、お守り機能化処理ステップ（Ｓ９）には、少なくとも、お祓い処理又は魂入れ処理を含ませることができる。
【発明の効果】
【００１４】
このような本発明に係る交通安全守１及びその製造方法によれば、次のような顕著な効果を奏する。
【００１５】
（１）  交通安全守１を見える位置に掲示した際には、お守り表示部Ｅに表示される交通安全のお守りであること（例えば、交通安全の文字）と交通安全を行わなければならないという認識を高めさせる写真Ｐ（例えば、家族の写真）を一緒に見ることができるため、運転する人に対して、“絶対に交通安全をしなければならい”という、より強力な認識（注意喚起）を促すことができ、もって、交通安全に係わる効果を飛躍的に高めることができる。
【００１６】
（２）  個別に特定の写真Ｐを使用できるため、個人々にとっての固有の交通安全守１となり、自分を守ってくれるお守りという、お守りとしての魅力をより高めることができる。しかも、容易かつ短時間に製作できるとともに、安価に製作できる。加えて、全体の形態は、神社やお寺等で販売される通常のお守りを踏襲するため、神社やお寺等のお守りとして馴染みやすく、高品質に製作できるなど、神社やお寺等にとっても最適なお守りとして提供できる。
【００１７】
（３）  交通安全守の製造方法によれば、カメラ機能部１１ｃにより撮影した画像データＤｖをプリンタ２１によりプリントアウトして特定の写真Ｐを製作する写真製作ステップ（Ｓ１〜Ｓ５）と、全体を表面部２ｆと裏面部２ｒによりケース状に形成するとともに、表面部２ｆの外面に交通安全のお守りであることを示すお守り表示部Ｅを設け、かつ表面部２ｆに、内部に収容した写真Ｐが外から見える開口窓部２ｏを設けてなる専用のお守り袋２を製作して用意するお守り袋準備ステップ（Ｓ６）と、このお守り袋２に、お守り本体３と写真Ｐを収容する写真収容ステップ（Ｓ７）と、少なくともお守り本体２に対して正規のお守りとして機能させる機能化処理を行うお守り機能化処理ステップ（Ｓ９）を備えるため、本発明に係る交通安全守１を得るための製造を、有効かつ確実に実施することができる。
【００１８】
（４）  好適な態様により、開口窓部２ｏに、開口２ｏｓ及びこの開口２ｏｓを覆う透明な保護シート４を設ければ、内部の写真Ｐを傷付ける等の弊害を有効に回避できるため、大切な写真Ｐを長期にわたって保護することができる。
【００１９】
（５）  好適な態様により、お守り袋２の上端部に、吊り下げるための吊下具５を設ければ、運転する人が見え易い車室Ｃｉ内の位置等に容易に掲示できるため、交通安全守１に係る最大のパフォーマンスを引き出すことができる。
【００２０】
（６）  好適な態様により、少なくとも、写真製作ステップ（Ｓ１〜Ｓ５），写真収容ステップ（Ｓ７）及びお守り機能化処理ステップ（Ｓ９）を、同じ敷地３１内で順次行うようにすれば、例えば、神社やお寺等の敷地３１内において、参拝者に対してその場で製作できるなど、実施の容易化に寄与できるとともに、実用性に富む。
【００２１】
（７）  好適な態様により、お守り機能化処理ステップ（Ｓ９）に、少なくとも、お祓い処理又は魂入れ処理を含ませれば、神社やお寺等の敷地３１内において有効に実施可能となるため、参拝記念等による正規のお守りとして効果的に実施できる。
【図面の簡単な説明】
【００２２】
【図１】本発明の好適実施形態に係る交通安全守の正面図、
【図２】同交通安全守の断面側面図、
【図３】本発明の好適実施形態に係る交通安全守の製造方法による製造手順を説明するためのフローチャート、
【図４】同製造方法による製造手順を説明するための工程説明図、
【図５】同製造方法による製造手順を説明するための他の工程説明図、
【発明を実施するための形態】
【００２３】
次に、本発明に係る好適実施形態を挙げ、図面に基づき詳細に説明する。
【００２４】
まず、本実施形態に係る交通安全守１の構成について、図１及び図２（図５（ｄ））を参照して具体的に説明する。
【００２５】
交通安全守１は、基本的な主要構成部品として、お守り袋２，写真Ｐ，お守り本体３及び吊下具５を備える。この場合、お守り袋２は、図２に示すように、表面部２ｆ及び裏面部２ｒを有し、全体の大きさ，形状，色や模様を含むデサイン，生地素材等の基本的な構成要素は、神社やお寺等で販売されているお守り、即ち、一般的に知られているお守りに用いられるお守り袋に類似する。したがって、全体の厚さは薄くなり、かつ上端部が出入口部２ｕとなるケース状に形成する。例示のお守り袋２の表面部２ｆと裏面部２ｒの形状は、図５（ｄ）に示すように矩形とし、交通安全守１として、完成させた際には、図１に示すように、出入口部２ｕの左右側を内側に折り込んだ状態にする。これにより、上端部は窄まった台形状の形態となる。
【００２６】
また、表面部２ｆの下側（下端側）における外面には、交通安全のお守りであることを示すお守り表示部Ｅを設ける。例示のお守り表示部Ｅには、一般的な交通安全のお守りに表示される「交通安全守」を表示した。一方、お守り表示部Ｅの上側に位置する表面部２ｆにおける残りの面内には、内部に収容した写真Ｐが外から見える開口窓部２ｏを設ける。この開口窓部２ｏは、開口２ｏｓ及びこの開口２ｏｓを覆う透明な保護シート４を設けて構成する。したがって、保護シート４は、透明プラスチックシート等を開口窓部２ｏよりも大きく形成し、表面部２ｆの内面に貼付けて構成できる。このように、開口窓部２ｏに、開口２ｏｓ及びこの開口２ｏｓを覆う透明な保護シート４を設ければ、内部の写真Ｐを傷付ける等の弊害を有効に回避できるため、大切な写真Ｐを長期にわたって保護できる利点がある。
【００２７】
写真Ｐとしては、交通安全守１の所持者（運転する人）が最も大切にしているもの、例えば、家族（夫婦，子供，孫等）のような特定の写真Ｐが望ましい。しかし、必ずしも家族に限定されるものではなく、ペットの写真、更には宝物等の物品の写真など、家族の写真と同様の効果を発揮するものであれば、それを排除するものではない。なお、写真Ｐは、予めカッティングし、お守り袋２の出入口部２ｕから内部に収容できるサイズとしたものを用いる。この場合、写真Ｐは、事前に用意する必要はない。例えば、神社やお寺等で参拝した際に、その敷地内においてデジタルカメラやスマートホン（携帯電話）等により撮影したものを用いることができる。
【００２８】
お守り袋２に収容するお守り本体３は、神社やお寺等で販売されている通常のお守りの中に収容されているお札（霊符）等を意味する。したがって、お守り本体３は、神社やお寺等により異なる。吊下具５は、交通安全守１を吊り下げるものであり、例示は、吊下紐５ｓを用いている。この吊下紐５ｓは、お守り袋２の上端部に設けた出入口部２ｕの近傍に位置する表面部２ｆと裏面部２ｒにそれぞれ形成した孔部２ｆｈと２ｒｈを通して取付ける。吊下紐５ｓとしては、一般的に縁起が良いとされる二重叶結び等の飾り結びした紐が望ましい。これにより、交通安全守１は、少なくとも自動車の車室内に掲示可能に構成される。
【００２９】
次に、本実施形態に係る交通安全守１の製造方法について、図４及び図５を参照しつつ図３に示すフローチャートを参照して具体的に説明する。
【００３０】
今、本実施形態に係る交通安全守１を販売する側として神社を想定し、また、この交通安全守１を購入する側として、当該神社に参拝に来ているある家族を想定する。
【００３１】
まず、家族のうちの購入しようとする者（購入者）は、カメラ機能部１１ｃの準備を行う（ステップＳ１）。具体的には、携帯するスマートホン（携帯電話）１１を利用する場合、スマートホン１１を撮影モードに切換え、カメラ機能部１１ｃを使用できるようにする。そして、図４（ａ）に示すように、カメラ機能部１１ｃを用いて、子供や孫等の家族Ｈの写真撮影を行う（ステップＳ２）。このように、写真撮影は、神社の敷地３１（図５（ｄ））内で手軽に行うことができる。なお、カメラ機能部１１ｃとしては、その他、デジタルカメラやビデオカメラ等の各種撮影機器におけるカメラ機能部を利用できる。
【００３２】
写真撮影が終了したなら、購入者は、スマートホン１１を神社側に一旦預ける。購入者の準備は基本的にここまでとなり、以後の処理は、神社側の処理となる。他方、スマートホン１１を預かった神社側では、図４（ａ）に示すように、スマートホン１１に登録された画像データＤｖを、神社側に設置されているプリンタ２１に転送する（ステップＳ３）。この場合、転送方式としては、例えば、スマートホン１１とプリンタ２１の双方が持っている赤外線通信機能等により無線通信することができる。その他、転送方式としては、カード等の外部メディアを介して入出力してもよく、各種転送方式を利用できる。また、画像データＤｖは、データ受信機能を有する専用のプリンタ２１に直接転送してもよいし、パーソナルコンピュータ等に一旦データ転送し、このパーソナルコンピュータ等から汎用のプリンタ２１に出力してもよく、その実施形態は任意である。
【００３３】
そして、図４（ｂ）に示すように、プリンタ２１により、撮影した画像データＤｖをプリントアウトする（ステップＳ４）。これにより、プリントされたプリント紙Ｐｓが得られる。次いで、図４（ｃ）に示すように、プリント紙Ｐｓを必要な大きさ、即ち、前述したお守り袋２に収容できる大きさにカッティングする（ステップＳ５）。図４（ｃ）における符号Ｋ…は、カッティングラインを示している。これにより、図５（ｄ）に示す写真Ｐ、即ち、購入者にとっての特定の写真Ｐを得ることができる（ステップＳ６）。以上の工程が、カメラ機能部１１ｃにより撮影した画像データＤｖをプリンタ２１によりプリントアウトして写真Ｐを製作する写真製作ステップとなる。
【００３４】
一方、神社側は、図５（ｄ）に示す専用のお守り袋２を用意する。このお守り袋２は、全体を表面部２ｆと裏面部２ｒによりケース状に形成するとともに、表面部２ｆの外面に交通安全のお守りであることを示すお守り表示部Ｅを設け、かつ表面部２ｆに、内部に収容した写真が外から見える開口窓部２ｏを設けたものである。したがって、このお守り袋２は事前に製作して用意する。このお守り袋２の製作は、予め、神社側で製作してもよいし、他の製作業者で作成したものを購入してもよい。この工程が専用のお守り袋２を製作して用意するお守り袋準備ステップとなる。
【００３５】
次いで、図５（ｄ）に示すように、用意したお守り袋２に、お守り本体３と写真Ｐを収容する（ステップＳ７）。この場合、写真Ｐは前面部２ｆ側、お守り本体３は写真Ｐの裏側となる。この工程が写真収容ステップとなる。そして、お守り本体３と写真Ｐを収容したお守り袋２に吊下具５である吊下紐５ｓを取付ける（ステップＳ８）。これにより、吊下紐５ｓがお守り袋２に取付けられるとともに、お守り袋２の出入口部２ｕが閉じられ、図１に示した交通安全守１の全体構成が完成する。全体構成が完成したなら、図５（ｅ）に示すように、少なくともお守り本体２に対して正規のお守りとして機能させる機能化処理を行う（ステップＳ９）。具体的には、お祓い処理を行う。お祓い処理は、交通安全守１に対して、例えば、神主さんが行う御幣４１を用いたお祓いによるお清めであってもよいし、人為的な処理を行うことなく、例えば、神前に一定時間お供えしておくなどの処理であってもよく、その処理態様は問わない。したがって、お寺の場合には、祈祷による魂入れ（魂入れ処理）であってもよいし、仏前に一定時間お供えしておくなどの処理であってもよい。これらの工程がお守り機能化処理ステップとなる。このように、お守り機能化処理ステップには、少なくとも、お祓い処理又は魂入れ処理を含ませることができる。このように、お祓い処理又は魂入れ処理を含ませれば、神社やお寺等の敷地３１内において有効に実施可能となるため、参拝記念等による正規のお守りとして効果的に実施できる利点がある。
【００３６】
これにより、目的とする正規の交通安全守１が完成するため、購入者は、代金の支払い等により入手する（ステップＳ１０）。そして、購入者は、図５（ｆ）に示すように、交通安全守１の吊下紐５ｓを、運転する自動車の車室内Ｃｉにおける、例えば、ルームミラー５３等に、運転に支障がないように取り付け、車室内Ｃｉにセットする（ステップＳ１１）。このように、交通安全守１は、吊下紐５ｓを用いて、表面部２ｆを、運転する人が見え易い車室Ｃｉ内の位置等に容易に掲示できるため、交通安全守１に係る最大のパフォーマンスを引き出すことができる。なお、５２はフロントガラスを示している。
【００３７】
よって、このような本実施形態に係る交通安全守１によれば、交通安全守１を見える位置に掲示した際には、お守り表示部Ｅに表示される交通安全のお守りであること（例えば、交通安全の文字）と交通安全を行わなければならないという認識を高めさせる写真Ｐ（例えば、家族の写真）を一緒に見ることができるため、運転する人に対して、“絶対に交通安全をしなければならい”という、より強力な認識（注意喚起）を促すことができ、もって、交通安全に係わる効果を飛躍的に高めることができる。また、個別に特定の写真Ｐを使用できるため、個人々にとっての固有の交通安全守１となり、自分を守ってくれるお守りという、お守りとしての魅力をより高めることができる。しかも、容易かつ短時間に製作できるとともに、安価に製作できる。加えて、全体の形態は、神社やお寺等で販売される通常のお守りを踏襲するため、神社やお寺等のお守りとして馴染みやすく、高品質に製作できるなど、神社やお寺等にとっても最適なお守りとして提供できる。
【００３８】
さらに、上述した本実施形態に係る交通安全守１の製造方法によれば、カメラ機能部１１ｃにより撮影した画像データＤｖをプリンタ２１によりプリントアウトして特定の写真Ｐを製作する写真製作ステップ（Ｓ１〜Ｓ５）と、全体を表面部２ｆと裏面部２ｒによりケース状に形成するとともに、表面部２ｆの外面に交通安全のお守りであることを示すお守り表示部Ｅを設け、かつ表面部２ｆに、内部に収容した写真Ｐが外から見える開口窓部２ｏを設けてなる専用のお守り袋２を製作して用意するお守り袋準備ステップ（Ｓ６）と、このお守り袋２に、お守り本体３と写真Ｐを収容する写真収容ステップ（Ｓ７）と、少なくともお守り本体２に対して正規のお守りとして機能させる機能化処理を行うお守り機能化処理ステップ（Ｓ９）を備えるため、本発明に係る交通安全守１を得るための製造を、有効かつ確実に実施することができる。
【００３９】
特に、写真製作ステップ（Ｓ１〜Ｓ５），写真収容ステップ（Ｓ７）及びお守り機能化処理ステップ（Ｓ９）は、同じ敷地３１内で順次行うことができるため、例えば、神社やお寺等の敷地３１内において、参拝者に対してその場で製作できるなど、実施の容易化に寄与できるとともに、実用性に富む利点がある。
【００４０】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４１】
例えば、保護シート４は、必ずしも必須ではなく、無くてもよい。また、吊下具５として吊下紐５ｓを例示したが、各種形態の吊下具を適用できるとともに、本発明においては、より広義としての意味を有し、広義としては取付具の概念である。一方、写真製作ステップ（Ｓ１〜Ｓ５），写真収容ステップ（Ｓ７）及びお守り機能化処理ステップ（Ｓ９）は、同じ敷地３１内で順次行う場合を示したが、写真製作ステップ（Ｓ１〜Ｓ５）は、必須ではなく、例えば、購入者が事前に製作態様を知っているような場合には、対応する写真Ｐを予め用意し、持って行ってもよい。さらに、お守り機能化処理ステップ（Ｓ９）として、少なくとも、お祓い処理又は魂入れ処理を含ませる場合を示したが、その他、教会や異なる宗派等によって、各種のお守り機能化処理を適用できる。また、各種ステップ（Ｓ１）〜（Ｓ１１）は、必ずしも順番を意味するものではない。例えば、写真Ｐとお守り本体３等は、予め、お守り機能化処理ステップ（Ｓ９）を行い、この後、写真収容ステップ（Ｓ７）を行ってもよいなど、工程（ステップ）の順番は任意である。
【産業上の利用可能性】
【００４２】
本発明に係る交通安全守及びその製造方法は、神社やお寺の敷地内で販売される各種形態のお守りに利用できる。
【符号の説明】
【００４３】
１：交通安全守，２：お守り袋，２ｆ：表面部，２ｒ：裏面部，２ｏ：開口窓部，２ｏｓ：開口，３：お守り本体，４：保護シート，５：吊下具，１１ｃ：カメラ機能部，２１：プリンタ，３１：敷地，Ｃｉ：自動車の車室，Ｅ：お守り表示部，Ｐ：写真，Ｄｖ：画像データ，（Ｓ１〜Ｓ５）：写真製作ステップ，（Ｓ６）：お守り袋準備ステップ，（Ｓ７）：写真収容ステップ，（Ｓ９）：お守り機能化処理ステップ
【図１】
2015043891.tif 000003
【図２】
2015043891.tif 000004
【図３】
2015043891.tif 000005
【図４】
2015043891.tif 000006
【図５】
2015043891.tif 000007